(57)【要約】      （修正有）【課題】内容物の詰め替えを中仕切板を抜き取るだけで一気に行うことができる詰め替え用容器を提供する。【解決手段】容器１が四周側面のパネルと、天井パネルとを有し、底面側は四周側面に連続したフランジ５ｃが折り曲げ形成されている。底面のほとんどは、開口であり、中仕切板１３の底板フラップ１４ａ、１４ｂによって閉塞される。底板フラップは、対向する一組の側面パネルのフランジに形成された切り込みに嵌り込むことによって、下方への脱落がなくなり、内容物１６の全体の積載加重に耐え得るようになっている。内容物の詰め替えは、容器の全体を他の容器へそのまま丸ごと装入し、中仕切板を引き抜けばよい。中仕切板を引き抜くことにより、底板フラップの先端側が側面パネルの切り込みとの係合を解放され、収容空間１５に収容された内容物はそのまま自然落下により、他の容器１７へ瞬間的に移載される。【選択図】  図９
2009046136.tif 000002
【特許請求の範囲】
【請求項１】
一枚のブランクシートを折り曲げて四周側面を形成するパネルと、少なくとも天井側に面するいずれか一つの側面パネルに連続して折り曲げ形成される天井パネルと、各側面パネルの底板側に面して一体形成されたフランジと、前記とは別の一枚のブランクシートを折り曲げ形成して箱状本体の収容空間を分割する中仕切板とより成り、該中仕切板は一枚のブランクシートを折り曲げて二重に折り返した仕切り板部及びこれに連続して折り曲げ形成された底板部を形成する底板フラップとを備えていることを特徴とする内容物詰め替え用容器。
【請求項２】
一組の対向する側面パネルのフランジには、中仕切板の底板フラップが嵌まり込むための切り込みが形成されており、中仕切板の底板フラップは前記切込みに嵌まり込み、フランジの切込みどうしの間の部分が底板フラップの上面又は下面のいずれかに位置し、フランジの切り込みどうしから外側の部分はそれぞれ底板フラップに対して上記とは反対の下面又は上面のいずれかに位置するようにした請求項１に記載の内容物詰め替え用容器。
【請求項３】
天井パネルは、一組の対向する側面パネルから箱状本体の全長の半分の寸法を有し、それぞれの天井パネルの先端側に衝合用のフランジを有し、収容空間の中央で衝合用のフランジどうしが接合し、該接合部の間に中仕切板の一部が介在している請求項１又は２に記載の内容物詰め替え用容器。
【発明の詳細な説明】
【技術分野】
【０００１】
本発明は、箱詰めした内容物を詰め替えるときに、内容物を収容してなる容器の全体を移し替えようとする他の容器の中へ装入し、中仕切板を引き抜くことで他の容器へ内容物を一気に詰め替えることのできる容器に関するものである。
【背景技術】
【０００２】
病院、医院、その他の医療機関における血液検査部門では、採血作業者（看護師等）により、患者から血液を採取し、採取した検体を試験管へ収容して検査部門へ移送するようにしている。血液検査では、その血液検査項目に応じて、多種類の試験管が準備されており、通常、一人の患者に対して複数種類の検査が同時に行われる。そのため、特許文献１に示すように、試験管の準備も一人の患者に対して複数種類のものが試験管準備装置によって自動的に準備されるようになっている。そして、採血室では多数の患者を取り扱うのが当たり前であり、前記試験管準備装置で準備された各試験管にはオーダ番号等のバーコードが印刷されたラベルが貼付されている。一方、患者には受付番号等のバーコードが印刷された採血受付票が発行されている。採血作業に際しては、これらのラベルや受付票の内容をバーコードリーダ等の光学的機器により読み取って患者及び試験管の取り間違いが起こらないようにしている。
【０００３】
このように試験管準備装置では、多種類且つ多数の試験管を種類ごとに一つの収容部（ストッカー）に収容保持しており、収容部に収容されている試験管の数が少なくなったときには、これを（多数の試験管を）補充する必要がある。従来は、補充作業を手作業で移し替えていた。
【特許文献１】特開２００２−１０４３４８号公報
【発明の開示】
【発明が解決しようとする課題】
【０００４】
このように従来では、試験管の収容部への補充を手作業で行っており、作業員が一回で掴み取ることのできる試験管の数が限られているため、収容部の全体へ試験管を補充するためには、かなりの時間を要し、また作業員の負担が大きいとういう欠点があった。
しかも、試験管に貼付するラベルの上下の向きが逆にならないようにするためには、投入時に試験管の向きを揃えるか又はランダムに投入した後、試験管を選択的に取り出してラベルを貼付するまでの間に試験管の向きを一定となるようにその姿勢を手直しする工程並びに機器が必要であった。
【０００５】
本発明は従来の前記課題に鑑みてこれを改良除去したものであって、内容物の詰め替えを中仕切板を抜き取るだけで一気に行うことができ、しかも内容物の方向性についても出荷時の状態を保つことができ、バラバラにしないで一括して揃えることのできる詰め替え用容器を提供せんとするものである。
【課題を解決するための手段】
【０００６】
而して、前記課題を解決するために本発明が採用した請求項１の手段は、一枚のブランクシートを折り曲げて四周側面を形成するパネルと、少なくとも天井側に面するいずれか一つの側面パネルに連続して折り曲げ形成される天井パネルと、各側面パネルの底板側に面して一体形成されたフランジと、前記とは別の一枚のブランクシートを折り曲げ形成して箱状本体の収容空間を分割する中仕切板とより成り、該中仕切板は一枚のブランクシートを折り曲げて二重に折り返した仕切り板部及びこれに連続して折り曲げ形成された底板部を形成する底板フラップとを備えていることを特徴とする内容物詰め替え用容器である。
【０００７】
前記課題を解決するために本発明が採用した請求項２の手段は、一組の対向する側面パネルのフランジには、中仕切板の底板フラップが嵌まり込むための切り込みが形成されており、中仕切板の底板フラップは前記切込みに嵌まり込み、フランジの切込みどうしの間の部分が底板フラップの上面又は下面のいずれかに位置し、フランジの切り込みどうしから外側の部分はそれぞれ底板フラップに対して上記とは反対の下面又は上面のいずれかに位置するようにした請求項１に記載の内容物詰め替え用容器である。
【０００８】
前記課題を解決するために本発明が採用した請求項３の手段は、天井パネルは、一組の対向する側面パネルから箱状本体の全長の半分の寸法を有し、それぞれの天井パネルの先端側に衝合用のフランジを有し、収容空間の中央で衝合用のフランジどうしが接合し、該接合部の間に中仕切板の一部が介在している請求項１又は２に記載の内容物詰め替え用容器である。
【発明の効果】
【０００９】
請求項１の発明にあっては、容器の主要部を構成する箱状本体が四周側面のパネルと、天井パネルとを有し、底面側は四周側面に連続したフランジが折り曲げ形成されているだけである。そのため、底面のほとんどは、開口となっている。この開口は、中仕切板の底板フラップによって閉塞される。底板フラップは、対向する一組の側面パネルのフランジに形成された切り込みに嵌り込むことによって、下方への脱落がなくなり、内容物の全体の積載加重に耐え得るようになっている。
容器内に内容物を一杯に収容したときの全体の荷重に応じて、フランジ及び底板フラップの材料、強度の選択を行うことで、各側面パネルのフランジと底板フラップとを接着剤などで接着しなくても内容物が底板側から脱落するなどのことはない。
【００１０】
容器内に収容された内容物を他のストッカーや容器へ詰め替える場合は、容器の全体をストッカー又は詰め替えようとする他の容器へそのまま丸ごと装入する。そして、天井パネルを開放するか若しくは天井パネルが両開きの場合は、天井パネルどうしの間に介在する中仕切板を引き抜けばよい。中仕切板を引き抜くことにより、底板フラップの先端側が側面パネルの切り込みとの係合を解放され、底板フラップは上方へ引き抜かれるようになる。そのため、容器の底板部分を閉塞する部材が無くなり、収容空間に収容された内容物はそのまま自然落下により、別のストッカー又は容器へ移載される。これは瞬間的に行うことが可能である。
要するに、この請求項１の発明にあっては、製品が出荷されたままの状態で梱包を開けずにそのまま詰め替えようとする他の容器へ全体を丸ごとセットし、その状態で中仕切板を引き抜くだけで、底板部分を開放して内容物を一気に他の容器へ移し替えることが可能である。
【００１１】
請求項２の発明にあっては、容器の底板部をワンタッチ式で開放できるようにした底板の構造を提供せんとするものであり、底板側に面する四周側面パネルにはフランジが形成されており、これらのフランジのうち、一組の対向する側面パネルのフランジには、中仕切板の底板フラップが嵌まり込むための切り込みが形成されている。
この切り込みには、中仕切板の底板フラップの先端側が差し込まれて嵌まり込むようになっている。底板フラップとフランジの切り込みとの関係は、フランジの切込みどうしの間の部分が底板フラップの上面又は下面のいずれかに位置し、フランジの切り込みどうしから外側の部分はそれぞれ底板フラップに対して上記とは反対の下面又は上面のいずれかに位置するようにしている。
【００１２】
このように底板フラップを対向する一組のフランジに対して切り込みを介して差込み嵌合させることにより、底板フラップを側面パネルのフランジに対して接着接合するなどの結合手段を施す必要がない。
そのため、一枚のブランクシートからなる中仕切板及びこれに連続する底板フラップは、中仕切板を強制的に引き上げることで、底板フラップをも同時に引き上げることが可能となり、内容物の詰め替えを一気に行うことができる。
【００１３】
請求項３の発明にあっては、天井パネルを二枚のパネルで構成し、中央から外側へ向けての両開き方式としている。そして、これらの天井パネルどうしの衝合面の間に、中仕切板の上端部分が挟持された状態で介在するようにしている。そのため、二枚の天井パネルを両側へ開放し、中仕切板の上端縁がわを把持して中仕切板を引き抜くことが容易である。
【発明を実施するための最良の形態】
【００１４】
以下に、本発明の構成を図面に示す発明の実施の形態に基づいて説明すると次の通りである。図１乃至図１０は、それぞれ本発明の一実施の形態に係る内容物詰め替え用の容器１を示すものである。図１は、容器１の箱状本体を構成する一枚のブランクシート２の展開図、図２は中仕切板及び底板フラップを構成する一枚のブランクシート３の展開図である。本発明に係る容器１は、上記二枚のブランクシート２及び３から構成される。図３は本発明に係る容器１の全体を示す斜視図、図４はブランクシート２を組み立てて箱状本体を形成した場合の底面図、図５は容器１の組立状態を示す底面図、図６は容器１の平面図である。また図７は試験管５を装入した状態を示す容器１の縦断面図である。図８は中仕切板を途中まで引き上げた状態を示す容器１全体の斜視図、図９は同縦断面図、図１０は中仕切板を完全に引き抜いて内容物を詰め替えた状態を示す縦断面図である。
【００１５】
図１及び図２に示すように、本実施の形態に係る容器１は、箱状本体部を構成する一枚のブランクシート２と、中仕切板３を構成する上記とは別の一枚のブランクシート３の二枚のブランクシートを組み立てて構成される。なお、図１及び図２において、点線は折り曲げ線を表している。
箱状本体部を構成するブランクシート２は、図１に示す通りであり、箱状本体の四周側面を構成する側面パネル４ａ．４ｂ．４ｃ．４ｄと、対向する一組の側面パネル４ｂ，４ｄの天井側に面して連続して一体形成された天井パネル６ａ，６ｂとを有している。また底板側に面する各側面パネル４ａ〜４ｄには、フランジ５ａ，５ｂ，５ｃ，５ｄが連続して一体形成されており、そのうちの対向する一組のフランジ５ｂ，５ｄには、後述する底板フラップと係合するための切り込み１１ａ，１１ｂ，１１ｃ，１１ｄが形成されている。なお、同図において、符号１０は側面パネル４ａに連続して一体形成されたのりしろである。
【００１６】
更に、前記側面パネル４ｂ，４ｄの天井面側に連続して一体形成された天井パネル６ａ，６ｂの先端側には、折り返して相互に衝合する差込み片８ａ，８ｂが形成されている。この差込み片８ａ，８ｂの折り曲げ線の中央部には天井パネル６ａ，６ｂに跨って指挿入用孔９ａ，９ｂが形成されている。
更にまた、側面パネル４ａ，４ｃの天井面側には、それぞれフランジ７ａ，７ｂ及び７ｃ，７ｄが連続して一体形成されており、各フランジ７ａ，７ｂどうしの間及びフランジ７ｃ，７ｄどうしの間には、天井パネル６ａ，６ｂの差込み片８ａ，８ｂを差し込むための差込み溝１２ａ，１２ｂが形成されている。
【００１７】
一方、中仕切板１３を構成する一枚のブランクシート３は、中央部分を折り返して二重構造にした中仕切パネル１３ａ，１３ｂと、これに連続して一体形成された底板フラップ１４ａ，１４ｂを有している。
【００１８】
このように形成された二枚のブランクシート２及び３を組み立てると、図３の斜視図に示す容器１が形成される。以下に、これらの二枚のブランクシート２及び３の組み立て要領を説明する。図１に示す箱状本体を形成するためのブランクシート２にあっては、同図の点線で示す折り線を全て山折りし、のりしろ１０を側面パネル４ｄに接着又は止金具を用いて連結固定する。この状態では、箱状本体は、図４に示すように、底面側はフランジ５ａ〜５ｄ以外の部分が空白（図面では黒塗りの部分）となっている。
一方、中仕切板用のブランクシート３にあっては、中央の折り曲げ線は山折し、その両サイドの折り曲げ線については谷折りをする。これにより、中仕切板１３は中仕切パネル１３ａ，１３ｂどうしが二重に重なり合って起立壁を構成し、これの両端側に連続する底板フラップ１４ａ，１４ｂが水平方向に伸び、全体として概略逆Ｔ字状の形に形成される。
【００１９】
然る後は、中仕切板１３及び底板フラップ１４ａ，１４ｂを前記箱状本体の中へ装入する。そして、図５に示すように、底面側において、短辺のフランジ５ｂ，５ｄを最も下方に位置させ、その上に長辺のフランジ５ａ，５ｃを重ねて位置させ、最も上位の位置に底板フラップ１４ａ，１４ｂを重ねて位置させる。次に、このような状態から底板フラップ１４ａ，１４ｂの先端側を対向する一組のフランジ５ｂ，５ｄに設けた切込み１１ａ，１１ｂ及び１１ｃ，１１ｄに差し込んで係合させる。係合は、フランジ５ｂ，５ｄの切込み１１ａ，１１ｂどうしの間及び切込み１１ｃ，１１ｄどうしの間において、底板フラップ１４ａ及び１４ｂが下面になるようにする。これにより、各フランジ５ａ〜５ｄと底板フラップ１４ａ，１４ｂがフランジ５ｂ，５ｄの切込みを介して重なり合い、ある一定の強度を持った底面壁が構成される。
【００２０】
然る後は、天井パネル６ａ，６ｂを開放し、箱状本体の内部に形成された収容空間１５に内容物１６を詰め込む。図７、図９及び図１０は、内容物１６が検査用真空密封型採血管の場合を示している。また同図の実施の形態は、採血管をランダム投入方式で投入した場合であり、試験管準備装置内に採血管の向きを一方向に揃える機能を有している。
次に、内容物１６を他の容器へ詰め替える場合を説明する。図７、図９及び図１０の実施例は、内容物１６が検査用真空密封型採血管であるため、図９及び図１０に示す他の容器１７は試験管準備装置における試験管用のストッカーである。試験管準備装置のある一つのストッカー１７に収容している試験管の数が全く無くなるか、補充を要する程度に減少した場合、該当する管種が梱包されている容器１を準備する。
【００２１】
そして、この容器１を丸ごと試験管準備装置の該当するストッカー１７内に装入する。次に、容器１の天井パネル６ａ，６ｂに設けた指挿入用孔９ａ，９ｂへ指を挿入し、中仕切板１３を把持してこれを上方へ引っ張り上げるようにする。これにより、底板フラップ１４ａ，１４ｂが各フランジ５ａ，５ｂ，５ｃ，５ｄとの係合を解かれ、容器１の底面側は底板のない開放空間１８となる。そのため、容器１に収容されていた内容物の試験管１６は自らの重量により一気に下方へ自然落下する。この自然落下は、内容物である試験管１６が容器１へ装入されたままの状態（向きと姿勢など）を維持して整然と且つ極めて短時間のうちに（瞬間的に）行われる。最後に、図１０に示すように、中仕切板１３を容器１から完全に抜き取り、容器１の全体をストッカー１７から取り出せばよい。
このような内容物の詰め替えであれば、大量のものであっても極めて短時間で一気に行うことができ、作業員の負担を著しく軽減することが可能である。
【産業上の利用可能性】
【００２２】
ところで、上述の実施の形態では、内容物１６を試験管とし、試験管準備装置のストッカー１７へ採血管を補充する場合の詰め替えの例を説明したが、本発明はこの実施の形態に限定されるものではなく、適宜の変更が可能である。例えば、内容物はお菓子やその他の小物品であってもよい。なお、内容物の重量に応じてブランクシート２及びブランクシート３の材質及び強度を設定し、フランジ５ａ，５ｂ，５ｃ，５ｄと底板フラップ１４ａ，１４ｂが徒に抜け落ちないようにすればよい。
【００２３】
また天井パネルは、二枚の両開き方式の場合を説明したが、これは一枚の一方側から開閉する方式のものであってもよい。
更に、この実施の形態では、内容物を試験管とし、試験管の向きをバラバラに投入した場合を説明したが、内容物の向きを揃える必要のあるものにあっては、揃えたままの状態で内容物が一気に他の容器へ移載されるようになり、詰め替えに際して内容物の向きを揃えて移載する作業が不要である。
【図面の簡単な説明】
【００２４】
【図１】本発明の一実施の形態に係るものであり、容器の箱状本体を構成するブランクシートの展開図である。
【図２】本発明の一実施の形態に係るものであり、中仕切板及び底板フラップを構成するブランクシートの展開図である。
【図３】本発明の一実施の形態に係る容器の全体を示す斜視図である。
【図４】本発明の一実施の形態に係るものであり、箱状本体を構成するブランクシートを組み立てた場合の底面図である。
【図５】本発明の一実施の形態に係るものであり、二枚のブランクシートを組立た状態を示す容器の底面図である。
【図６】本発明の一実施の形態に係る容器の平面図である。
【図７】本発明の一実施の形態に係るものであり、試験管を装入した状態を示す容器の縦断面図である。
【図８】本発明の一実施の形態に係るものであり、中仕切板を途中まで引き上げた状態を示す容器全体の斜視図である。
【図９】本発明の一実施の形態に係るものであり、中仕切板を途中まで引き上げた状態を示す容器全体の縦断面図である。
【図１０】本発明の一実施の形態に係るものであり、中仕切板を完全に引き抜いて内容物を詰め替えた状態を示す縦断面図である。
【符号の説明】
【００２５】
１…容器、２…箱状本体を構成するブランクシート、３…中仕切板及び底板を構成するブランクシート、４ａ，４ｂ，４ｃ，４ｄ…側面パネル、５ａ，５ｂ，５ｃ，５ｄ…フランジ、６ａ，６ｂ…天井パネル、７ａ，７ｂ，７ｃ，７ｄ…天井パネル側のフランジ、８ａ，８ｂ…差込片、９ａ，９ｂ…指挿入用孔、１０…のりしろ、１１ａ，１１ｂ，１１ｃ，１１ｄ…切込み、１２ａ，１２ｂ…差込み溝、１３…中仕切板、１３ａ，１３ｂ…中仕切パネル、１４ａ，１４ｂ…底板フラップ、１５…収容空間、１６…内容物、１７…他の容器（ストッカー）、１８…開放空間
【図１】
2009046136.tif 000003
【図２】
2009046136.tif 000004
【図３】
2009046136.tif 000005
【図４】
2009046136.tif 000006
【図５】
2009046136.tif 000007
【図６】
2009046136.tif 000008
【図７】
2009046136.tif 000009
【図８】
2009046136.tif 000010
【図９】
2009046136.tif 000011
【図１０】
2009046136.tif 000012